(57)【要約】      （修正有）【課題】従来の複合サッシの框体に単板ガラスを固定保持することができ、意匠性の高い複合サッシに安価でかつ軽量でサッシへの負担の少ない単板ガラスを用いることができるサッシのガラス固定構造を提供する。【解決手段】方形状に框組みしてなる框体２の内周面にガラス挿入溝９を設け、ガラス挿入溝９にグレチャン３を介してガラス体４を納めてなるサッシのガラス固定構造において、ガラス挿入溝９には屋内外壁２１、２２と連結面２３とを有するアタッチメント２０を収納し、アタッチメント２０は屋外壁２１から屋内側に向かう延出片２４を形成し、延出片２４の端部と屋内壁２２との間にグレチャン３と略同幅の開口部２５を形成すると共に、開口部２５にガラス体４の周縁部に取付けられたグレチャン３を納めることによりガラス体４を框体２の内部に納める。【選択図】図３
2005076429.tif 000002
【特許請求の範囲】
【請求項１】
方形状に框組みしてなる框体の内周面にガラス挿入溝を設け、該ガラス挿入溝にグレチャンを介してガラス体を納めてなるサッシのガラス固定構造において、
上記ガラス挿入溝には屋内外壁と連結面とを有するアタッチメントを収納し、該アタッチメントは上記屋外壁から屋内側に向かう延出片を形成してなり、
上記延出片の端部と屋内壁との間に上記グレチャンと略同幅の開口部を形成すると共に、該開口部に上記ガラス体の周縁部に取付けられたグレチャンを納めることにより上記ガラス体を框体の内部に納めることを特徴とするサッシのガラス固定構造。
【請求項２】
方形状に框組みしてなる框体の内周面にガラス挿入溝を設け、該ガラス挿入溝にグレチャンを介してガラス体を納めてなるサッシのガラス固定構造において、
上記ガラス挿入溝には屋内外壁と連結面とを有するアタッチメントを収納し、該アタッチメントは上記屋内壁から屋外側に向かう延出片を形成してなり、
上記延出片の端部と屋外壁との間に上記グレチャンと略同幅の開口部を形成すると共に、該開口部に上記ガラス体の周縁部に取付けられたグレチャンを納めることにより上記ガラス体を框体の内部に納めることを特徴とするサッシのガラス固定構造。
【請求項３】
上記框体は金属框の屋内側露出部分を樹脂框にて略覆ってなり、上記アタッチメントはその連結面を上記金属框にビスまたはネジ止め固定することを特徴とする請求項１または２記載のサッシのガラス固定構造。
【請求項４】
上記ガラス挿入溝は金属框の屋外面を見付方向内側に延出した屋外突片と樹脂框の屋内面を見付方向内側に延出した屋内突片とによって凹状に形成されてなり、上記アタッチメントは上記屋外突片と屋内突片に挟持され、樹脂からなる上記屋内突片は上記アタッチメントの屋内壁の屋内側露出面を覆うと共に、上記グレチャンと連続状としてなることを特徴とする請求項３記載のサッシのガラス固定構造。
【請求項５】
上記アタッチメントは上記金属框にビスまたはネジ止め固定される上記連結面を有するベース部材と、該ベース部材に固定され上記屋内外壁及び開口部を有するガラス固定部材とからなることを特徴とする請求項１〜４のいずれか１項に記載のサッシのガラス固定構造。
【発明の詳細な説明】
【技術分野】
【０００１】
本発明は、建物開口部に装着されるサッシのガラス固定構造に関し、特に複層ガラス用の框体に単板ガラスを納めるサッシのガラス固定構造に関する。
【背景技術】
【０００２】
近年、サッシは断熱性の向上や意匠性の向上のため、金属枠や金属框の屋内側露出部分を樹脂枠や樹脂框で覆った複合サッシが広く用いられている。この場合、框に固定されるガラス体は、断熱性を確保するために一般的には複層ガラスが用いられる。この複層ガラスは、通常２枚（特殊な場合は３〜４枚）の板ガラスを配置し、その周囲を接着剤で密封して内部の空気を乾燥状態に保ったもので、高い断熱性と結露防止効果がある。
【０００３】
複層ガラスを使用した複合サッシの例としては、例えば特許文献１に記載された複合サッシがある。この複合サッシは方形に枠組みされた外枠内に辷り出し障子を納めて構成されている。この外枠を構成する各枠材は、金属枠とその屋内側露出部分を覆う樹脂枠とから構成され、辷り出し障子は金属框とその屋内側露出部分を覆う樹脂框とから構成されており、この框体のガラス挿入溝において複層ガラスが保持されている。この複層ガラスはその屋内側及び屋外側の両方から挟持されている。
【特許文献１】特開２０００−３２０２５０号公報
【発明の開示】
【発明が解決しようとする課題】
【０００４】
ところで、断熱性をそれほど必要としない地域において使用されるサッシにおいては、屋内側の意匠性を向上させるために複合サッシを用いつつも、高価でかつ重量が大きいためサッシに負担をかけることになる複層ガラスではなく、安価で軽量な単板ガラスを用いたいという強い要望がある。しかし、複合サッシの框体は複層ガラス用に設計されているのでガラス挿入溝の幅が広く、そのままでは単板ガラスを保持することができない。
【０００５】
本発明は、上記問題点を解決すべくなされたものであり、従来の複合サッシの框体に単板ガラスを固定保持することができ、意匠性の高い複合サッシに安価でかつ軽量でサッシへの負担の少ない単板ガラスを用いることができるサッシのガラス固定構造を提供することを目的とする。
【課題を解決するための手段】
【０００６】
上記の課題を解決するため本発明に係るサッシのガラス固定構造は、方形状に框組みしてなる框体の内周面にガラス挿入溝を設け、該ガラス挿入溝にグレチャンを介してガラス体を納めてなるサッシのガラス固定構造において、
上記ガラス挿入溝には屋内外壁と連結面とを有するアタッチメントを収納し、該アタッチメントは上記屋外壁から屋内側に向かう延出片を形成してなり、
上記延出片の端部と屋内壁との間に上記グレチャンと略同幅の開口部を形成すると共に、該開口部に上記ガラス体の周縁部に取付けられたグレチャンを納めることにより上記ガラス体を框体の内部に納めることを特徴として構成されている。
【０００７】
また、本発明に係るサッシのガラス固定構造は、方形状に框組みしてなる框体の内周面にガラス挿入溝を設け、該ガラス挿入溝にグレチャンを介してガラス体を納めてなるサッシのガラス固定構造において、
上記ガラス挿入溝には屋内外壁と連結面とを有するアタッチメントを収納し、該アタッチメントは上記屋内壁から屋外側に向かう延出片を形成してなり、
上記延出片の端部と屋外壁との間に上記グレチャンと略同幅の開口部を形成すると共に、該開口部に上記ガラス体の周縁部に取付けられたグレチャンを納めることにより上記ガラス体を框体の内部に納めることを特徴として構成されている。
【０００８】
さらに、本発明に係るサッシのガラス固定構造は、上記框体は金属框の屋内側露出部分を樹脂框にて略覆ってなり、上記アタッチメントはその連結面を上記金属框にビスまたはネジ止め固定することを特徴として構成されている。
【０００９】
さらにまた、本発明に係るサッシのガラス固定構造は、上記ガラス挿入溝は金属框の屋外面を見付方向内側に延出した屋外突片と樹脂框の屋内面を見付方向内側に延出した屋内突片とによって凹状に形成されてなり、上記アタッチメントは上記屋外突片と屋内突片に挟持され、樹脂からなる上記屋内突片は上記アタッチメントの屋内壁の屋内側露出面を覆うと共に、上記グレチャンと連続状としてなることを特徴として構成されている。
【００１０】
そして、本発明に係るサッシのガラス固定構造は、上記アタッチメントは上記金属框にビスまたはネジ止め固定される上記連結面を有するベース部材と、該ベース部材に固定され上記屋内外壁及び開口部を有するガラス固定部材とからなることを特徴として構成されている。
【発明の効果】
【００１１】
本発明に係るサッシのガラス固定構造によれば、框体のガラス挿入溝にアタッチメントを収納固定し、グレチャンを納める開口部を設けたことにより、屋内外方向幅の大きい複層ガラス用の框体に対して単板ガラスを納めることができ、低コストで軽量なサッシとすることができる。
【００１２】
また、本発明に係るサッシのガラス固定構造によれば、アタッチメントは屋外壁から屋内側に向かう延出片の端部と屋内壁との間に開口部を形成することにより、ガラス体の屋内側は、グレチャンを介して框体に直接挟持されるので、屋内側にホコリ等が溜まりにくいようにすることができる。
一方、アタッチメントの延出片を屋内壁から屋外側に向かって形成した場合には、ガラス体の屋外側がグレチャンを介して框体に直接挟持されるので、屋外側にホコリ等が溜まりにくいようにすることができる。
【００１３】
さらに、本発明に係るサッシのガラス固定構造によれば、框体は金属框の屋内側露出部分を樹脂框で略覆った複合框であって、アタッチメントは金属框にビスまたはネジ止め固定されることにより、アタッチメントを金属部材に固定するので、複合框においてアタッチメントを強固に固定することができる。
【００１４】
さらにまた、本発明に係るサッシのガラス固定構造によれば、樹脂框の屋内突片はアタッチメントの屋内壁の屋内側露出面を覆うと共に、グレチャンと連続状としてなることにより、屋内側にアタッチメントが露出することがなく、サッシの断熱性を向上させることができる。
【００１５】
そして、本発明に係るサッシのガラス固定構造によれば、アタッチメントは金属框に固定されるベース部材と、ガラス体を納める開口部を有するガラス固定部材とからなることにより、アタッチメントの金属框に対する取付け位置が開口部の位置とは異なるために、一部材からなるアタッチメントではビスまたはネジ止めが困難な場合であっても、金属框に対してアタッチメントを容易に固定することができる。
【発明を実施するための最良の形態】
【００１６】
以下、本発明の実施の形態について、図面を参照しつつ詳細に説明する。図１は本発明に係るサッシのガラス固定構造を適用した複合サッシの縦断面図であり、図２はその横断面図である。これら各図において本実施形態における複合サッシは、建物開口部に装着された上枠３０、下枠４０、及び左右の縦枠５０、５０を方形状に枠組みしてなる枠体１内に、上框６０、下框７０、及び左右の縦框８０、８０を框組みした框体２にグレチャン３を取付けたガラス体４を納めた一対の障子１０、１１を引違い状として走行自在に納めると共に、それらの屋外側には網戸１２を納めてなるものである。
【００１７】
この複合サッシは、従来から存在する複層ガラスを納めるサッシと同様の構造を有してなるものである。枠体１を構成する各枠材は複合材からなり、ベースとなる金属枠５とその屋内側露出部分を覆う樹脂枠６とから構成されている。金属枠５は、金属上枠３１、金属下枠４１、左右の金属縦枠５１、５１を方形状に枠組みして構成され、樹脂枠６は、樹脂上枠３２、樹脂下枠４２、及び左右の樹脂縦枠５２、５２から構成されている。そして、上記樹脂上枠３２は金属上枠３１に、樹脂下枠４２は金属下枠４１に、樹脂縦枠５２は金属縦枠５１に、それぞれ取付けられている。
【００１８】
また、框体２は上記枠体１と同様に、金属框７とその屋内側露出部分を覆うように取付けられた樹脂框８とからなる複合材からなる。金属框７は、金属上框６１、金属下框７１、左右の金属縦框８１、８１を方形状に框組みして構成され、樹脂框８は、樹脂上框６２、樹脂下框７２、及び樹脂縦框８２、８２から構成されている。そして、樹脂上框６２は金属上框６１に、樹脂下框７２は金属下框７１に、樹脂縦框８２は金属縦框８１に、それぞれ取付けられる。このように框組みされた框体２の内周面にはガラス挿入溝９が形成されており、このガラス挿入溝９にグレチャン３を介して単板ガラスからなるガラス体４が納められる。このガラス挿入溝９は、複層ガラスを収納可能な溝幅を有している。
【００１９】
金属枠５及び金属框７は、いずれもアルミの押出型材からなり、断面中空状に形成されてなるものである。また、樹脂枠６及び樹脂框８は、いずれも塩化ビニルやアクリル樹脂等によって成型される。樹脂部材にて金属部材の屋内側露出部分を覆うことにより、金属による冷たい感じを隠し、また熱伝導率の低い樹脂によって断熱効果を向上させると共に、結露の発生を防止している。
【００２０】
ここで、框体２のガラス挿入溝９内にガラス体４を固定するための固定構造について説明する。まず、縦框８０について説明する。図３には、ガラス体４の縦框８０に対する固定部分の拡大図を示している。縦框８０を構成する屋外側の金属縦框８１及び屋内側の樹脂縦框８２には、それぞれ長手方向の略全長に渡って見付方向内側に延出する屋外突片８１ａ及び屋内突片８２ａが形成されており、これらによって縦框８０の内周面にガラス挿入溝９を形成している。そして、このガラス挿入溝９には、アタッチメント２０が取付けられている。
【００２１】
このアタッチメント２０はスペーサとしての役割を果たしている。複合サッシは本来複層ガラスを納めることを前提にガラス挿入溝９を屋内外方向に幅広に形成してあって、単板ガラス用のグレチャン３の幅よりも大きい。つまり、単板ガラスからなるガラス体４をこのガラス挿入溝９にそのまま納めることはできない。このため、アタッチメント２０をガラス挿入溝９に収納し、このアタッチメント２０にガラス体４を納めるようにすることにより、複合サッシに単板ガラスを納めることができる。
【００２２】
アタッチメント２０は、屋外壁２１と屋内壁２２及び連結面２３を備え、屋外壁２１の先端から屋内側に向かって延出する延出片２４を設けると共に、その延出片２４の先端と屋内壁２２の間に、単板ガラス用のグレチャン３と略同幅の開口部２５を形成してなるものである。また、その外形は、ガラス挿入溝９に略適合する形状とされており、ガラス挿入溝９には容易に納めることができる。さらに、屋外壁２１と屋内壁２２は、縦框８０の屋外突片８１ａと屋内突片８２ａの各先端部によって挟持されている。このアタッチメント２０は、金属框７と同様にアルミの押出型材にて成型される。
【００２３】
アタッチメント２０の連結面２３は、金属縦框８１に対して長手方向数カ所でビス２８によりビス止めされ、これによってアタッチメント２０は縦框８０に対して強固に固定される。グレチャン３は、ガラス体４の周縁部に四周に渡って取付けられ、その状態でアタッチメント２０の開口部２５に挿入されて、挟持固定される。このように、単板ガラスを納めることができるように形成されたアタッチメント２０をガラス挿入溝９に取付けておくことにより、複層ガラスに適合するガラス挿入溝９を有した框体２に対して単板ガラスを納めることができる。
【００２４】
アタッチメント２０の開口部２５は、屋内側に偏って配置されており、延出片２４は屋外側に配置されることになるので、ガラス体４より屋内側にホコリ等を溜めにくくすることができる。また、樹脂縦框８２の屋内突片８２ａはアタッチメント２０の屋内壁２２の屋内側露出部分を覆うと共に、グレチャン３と連続状となる。これによれば、アタッチメント２０を用いた框体２であっても、金属部分を屋内側に露出させないことで、複合サッシとしての断熱性能を十分に確保することができる。
【００２５】
次に、上框６０について説明する。図４には、ガラス体４の上框６０に対する固定部分の拡大図を示している。上框６０を構成する屋外側の金属上框６１及び屋内側の樹脂上框６２にはそれぞれ、長手方向の略全長に渡って見付方向内側に延出する屋外突片６１ａ及び屋内突片６２ａが形成されており、これらによって上框６０の内周面にガラス挿入溝９を構成している。そしてこのガラス挿入溝９には、アタッチメント２０が取付けられている。
【００２６】
上框６０では、屋内側に配置される樹脂上框６２の見込方向厚さが比較的大きいため、屋外側に配置される金属上框６１におけるアタッチメント２０のビス止め位置が、縦框８０の場合よりも屋外側となる。アタッチメント２０の開口部２５は屋内側に形成されるため、縦框８０のようにアタッチメント２０を一部材で構成すると、開口部２５からビス２８を挿入できないので、金属上框６１に対するビス止めを行うことが困難となる。そこで、上框６０に取付けるアタッチメント２０は、金属上框６１に対してビス止めされるベース部材２６と、そのベース部材２６に取付けられ、開口部２５を備えてガラス体４に取付けられたグレチャン３を挟持固定するガラス固定部材２７との、二部材で構成する。
【００２７】
ベース部材２６は連結面２３を備えており、ビス２８により金属上框６１にビス止めされる。一方、ガラス固定部材２７は屋外壁２１と屋内壁２２を備えると共に、屋外壁２１の先端から屋内側に向かう延出片２４を有しており、延出片２４の先端と屋内壁２２の間には、単板ガラス用のグレチャン３と略同幅の開口部２５を形成してなるものである。このガラス固定部材２７は、ベース部材２６に対して嵌合固定される。ガラス固定部材２７の屋外壁２１と屋内壁２２は、それぞれ上框６０の屋外突片６１ａと屋内突片６２ａの各先端部によって挟持されている。このようにアタッチメント２０を二部材にすることで、開口部２５位置とビス止め位置とに見込方向のずれがある場合でも、金属上框６１に対するビス止めを容易にすることができる。
【００２８】
さらに、下框７０について説明する。図５には、ガラス体４の下框７０に対する固定部分の拡大図を示している。下框７０におけるガラス体４の固定は、上框６０におけるガラス体４の固定と同様になされる。すなわちまず下框７０の構成は、屋外側の金属下框７１及び屋内側の樹脂下框７２にはそれぞれ、長手方向の略全長に渡って見付方向内側に延出する屋外突片７１ａ及び屋内突片７２ａが形成されており、これらにより下框７０の内周面にガラス挿入溝９を形成している。そして、このガラス挿入溝９に二部材からなるアタッチメント２０が取付けられる。
【００２９】
アタッチメント２０は、上框６０に取付けられるものと略同じ形状に形成されており、金属下框７１にビス止めされるベース部材２６と、そのベース部材２６に嵌合固定され、ガラス体４を固定するガラス固定部材２７とからなっている。ベース部材２６は連結面２３を有し、金属下框７１に対してビス止めされ、一方ガラス固定部材２７は屋外壁２１と屋内壁２２及び延出片２４を有しており、延出片２４の先端と屋内壁２２の間に形成される開口部２５にグレチャン３を固定したガラス体４を納めて挟持固定する。
【００３０】
次に、このような単板ガラスの固定部分の組立方法について説明する。まず縦框８０のガラス体４固定部分について、図６を参照して説明する。縦框８０の屋外突片８１ａ及び屋内突片８２ａにより形成されたガラス挿入溝９に対し、一部材からなるアタッチメント２０を挿入し、その連結面２３をビス２８により金属縦框８１に対し固定する。この状態で、アタッチメント２０は屋外壁２１の先端付近及び屋内壁２２の先端部分付近を、それぞれ金属縦框８１の屋外突片８１ａ及び樹脂縦框８２の屋内突片８２ａにより挟持される。
【００３１】
そして、アタッチメント２０の開口部２５に対して、あらかじめグレチャン３を取付けておいたガラス体４を挿入する。開口部２５はグレチャン３と略同幅に形成されているので、グレチャン３及びそれに保持されたガラス体４は、アタッチメント２０を介して金属縦框８１の屋外突片８１ａ及び樹脂縦框８２の屋内突片８２ａにより挟持固定される。
【００３２】
また、上框６０のガラス体４固定部分については、図７を参照して説明する。上框６０の屋外突片６１ａ及び屋内突片６２ａにより形成されたガラス挿入溝９に対し、まず連結面２３を備えたベース部材２６をビス２８により金属上框６１に対し固定する。次に、そのベース部材２６に対して屋外壁２１と屋内壁２２、延出片２４及び開口部２５を備えたガラス固定部材２７を嵌合固定する。このようにして、ベース部材２６とガラス固定部材２７とからなるアタッチメント２０を上框６０に対して取付けた上で、あらかじめグレチャン３を取付けておいたガラス体４を開口部２５に挿入する。
【００３３】
ガラス固定部材２７は、屋外壁２１の先端部と屋内壁２２の先端部とがそれぞれ金属上框６１の屋外突片６１ａ及び樹脂上框６２の屋内突片６２ａに挟持される。したがって、グレチャン３及びそれに保持されたガラス体４はガラス固定部材２７を介して金属上框６１の屋外突片６１ａ及び樹脂上框６２の屋内突片６２ａに挟持固定される。
【００３４】
これまで本発明の実施形態について説明したが、本発明の適用は本実施形態に限られるものではなく、その技術的思想の範囲内において様々に適用されうるものである。例えば、本実施形態ではアタッチメント２０の金属框７に対する固定をビス２８により行っているが、これをネジによって行ってもよい。
【００３５】
また、本実施形態では上框６０と下框７０に用いるアタッチメント２０については二部材で構成し、縦框８０に用いるアタッチメント２０については一部材で構成しているが、必ずしもこの構成には限られない。アタッチメント２０とビス２８の固定位置及びグレチャン３を取付ける開口部２５位置が、見込方向において略一致していれば、開口部２５からビス２８を挿入し、ビス止めを行うことができるので、アタッチメント２０は一部材からなるものを選択する。一方、アタッチメント２０とビス２８の固定位置及びグレチャン３を取付ける開口部２５位置が、見込方向においてずれていれば、開口部２５からビス止めすることができないので、アタッチメント２０は二部材からなるものを選択する。したがって、アタッチメント２０は框体２の四周に渡って一部材からなるもののみで構成される場合もあれば、二部材からなるもののみで構成される場合もある。また、本実施形態のように一部材と二部材のものが混在する場合もある。
【００３６】
さらに、本実施形態ではガラス体４の固定位置は框体２の見込方向屋内寄りに配置されるように、アタッチメント２０の延出片２４は、屋外壁２１から屋内側に向かって延出するように形成されているが、逆に屋内壁２２から屋外側に向かって延出するように形成することもでき、この場合にはガラス体４の固定位置は框体２の見込方向屋外寄りとなる。このように配置することで、ガラス体４の屋外側でホコリ等が溜まりにくいようにすることができる。
【図面の簡単な説明】
【００３７】
【図１】本発明に係るサッシのガラス固定構造を適用した複合サッシの縦断面図である。
【図２】本発明に係るサッシのガラス固定構造を適用した複合サッシの横断面図である。
【図３】図２における縦框のガラス体固定部分周辺の拡大図である。
【図４】図１における上框のガラス体固定部分周辺の拡大図である。
【図５】図１における下框のガラス体固定部分周辺の拡大図である。
【図６】図３におけるアタッチメント及びガラス体の組立図である。
【図７】図４におけるアタッチメント及びガラス体の組立図である。
【符号の説明】
【００３８】
１    枠体
２    框体
３    グレチャン
４    ガラス体
７    金属框
８    樹脂框
９    ガラス挿入溝
２０    アタッチメント
２１    屋外壁
２２    屋内壁
２３    連結面
２４    延出片
２５    開口部
２６    ベース部材
２７    ガラス固定部材
６０    上框
７０    下框
８０    縦框
【図１】
2005076429.tif 000003
【図２】
2005076429.tif 000004
【図３】
2005076429.tif 000005
【図４】
2005076429.tif 000006
【図５】
2005076429.tif 000007
【図６】
2005076429.tif 000008
【図７】
2005076429.tif 000009